(57)【要約】【課題】簡単な構造で、平面的にも立体的にも構成することができ、多様なバリエーションが得られ、しかも手作りできるアクセサリー玩具を提供する。【解決手段】以下の要件を備えていること。（イ）方形の形状を有し、各辺には貫通穴２を設けた筒部３を形成した単位パーツ１を複数組み合わせて構成されていること（ロ）上記単位パーツ１は、上記筒部３を利用して連結材によって他の単位パーツ１に連結されること  なお、単位パーツは１対の小パーツ１ａ、１ｂから構成してもよい。【選択図】図１
2005198780.tif 000002
【特許請求の範囲】
【請求項１】
以下の要件を備えたことを特徴とするアクセサリー玩具。
（イ）方形の形状を有し、各辺には貫通穴を設けた筒部を形成した単位パーツを複数組み合わせて構成されていること
（ロ）上記単位パーツは、上記筒部を利用して連結材によって他の単位パーツに連結されること
【請求項２】
以下の要件を備えることを特徴とするアクセサリー玩具。
（イ）複数の単位パーツを組み合わせて構成されること
（ロ）上記各単位パーツは、方形で、対向する２辺には貫通穴を設けた筒部を形成した１対の小パーツを、一方の小パーツの筒部の内側に他方の小パーツをきつく嵌め合わせた状態で重ね合わせることにより一体に結合したものであること
（ハ）上記単位パーツの取付穴に糸が挿通され、この糸を介して他のパーツと組み合わせて連結されること
【請求項３】
前記単位パーツの方形部分は透明である、請求項１又は請求項２に記載のアクセサリー玩具。
【発明の詳細な説明】
【技術分野】
【０００１】
本発明は、複数のパーツを組み合わせ連結したアクセサリー玩具に関するものである。
【背景技術】
【０００２】
一般に、アクセサリー玩具は既に完成された状態で販売されているものが多いが、ビーズや缶バッジのように、手作りするものも知られている。
【０００３】
また、腕輪本体などに予め吸盤を取り付けておき、吸盤に宝石玩具を吸着させるものもあった。
【特許文献１】登録実用新案第３０９４４９３号公報
【発明の開示】
【発明が解決しようとする課題】
【０００４】
しかしながら、ビーズであれば首飾りや腕飾りとして、バッジは洋服やバッグなどに取り付けられるもので、いずれも用途が限定され、またバリエーションに乏しいという問題があった。
【０００５】
本発明は上記問題点を解消し、簡単な構造で、平面的にも立体的にも構成することができ、多様なバリエーションが得られ、しかも手作りできるアクセサリー玩具を提供することをその課題とする。
【課題を解決するための手段】
【０００６】
本発明に係るアクセサリー玩具は、以下の要件を備えたことを特徴とする。
（イ）方形の形状を有し、各辺には貫通穴を設けた筒部を形成した単位パーツを複数組み合わせて構成されていること
（ロ）上記単位パーツは、上記筒部を利用して連結材によって他の単位パーツに連結されること
【０００７】
また、上記各単位パーツは、方形で、対向する２辺には貫通穴を設けた筒部を形成した１対の小パーツを、一方の小パーツの筒部の内側に他方の小パーツをきつく嵌め合わせた状態で重ね合わせることにより一体に結合することによって構成し、単位パーツの取付穴に糸が挿通され、この糸を介して他のパーツと組み合わせて連結するようにしてもよい。
【０００８】
さらに、前記単位パーツの方形部分は透明にするのがよい。
【発明の効果】
【０００９】
請求項１に係る発明によれば、各辺に貫通穴を設けた筒部を形成しただけの簡単な構造の複数の単位パーツを、それぞれの筒部を利用して連結材を介して複数組み合わせて連結した構成なので、多様なバリエーションが得られる。また、単位パーツと隣り合う単位パーツは平面的に連結することができるほか、直角になるように連結すれば、立体的なアクセサリーも得ることができる。
【００１０】
請求項２に係る発明によれば、単位パーツは、方形で、対向する２辺に筒部を形成した１対の小パーツを、一方の小パーツの筒部の内側に他方の小パーツをきつく嵌め合わせた状態で重ね合わせることにより一体に結合したものであるから、ネジ等の手段がなくても簡単に結合することができるとともに、小パーツを組み合わせて色々な単位パーツを得ることができる。したがって、さらに多様なバリエーションを楽しむことができる。
【００１１】
請求項３に係る発明によれば、単位パーツは透明なので、中央部が膨らむように形成することによりレンズ効果が得られ、特に１対の小パーツの間に適宜の模様を表示した模様表示片を挟む構成を採用するときは、模様部分が拡大されるので、外部からは実際より大きく見え、拡大による意匠効果も向上する。
【実施例１】
【００１２】
図１はアクセサリー玩具の斜視図で、このアクセサリー玩具は、複数の単位パーツ１を連結して構成されているもので、単位パーツ１は方形の形状を有し、各辺には図２及び図３に示されるように、貫通穴２を設けた筒部３が連続的に形成されている。
【００１３】
筒部３には、連結材としてテグスのような糸材４が、同図の点線で示すように挿通され、これによって４個の単位パーツが連結されている。
【００１４】
なお、５はビーズである。連結された単位パーツ１の両端には紐６などを取り付け、携帯電話のストラップなどのアクセサリーにすることができる。
【００１５】
また、連結材はテグスなどの糸材４のほか、紐材などのように細長いもののほか、短いものを連結して長くしたものであってもよい。また、連結のためには１本だけでなく、複数の連結材を用いてもよい。
【００１６】
上述の構成によれば、各辺に筒部３を形成しただけの簡単な構造の複数の単位パーツ１を、それぞれの筒部３を利用して連結材を介して複数組み合わせて連結した構成なので、多様なバリエーションが得られる。また、単位パーツ１と隣り合う単位パーツ１は平面的に連結することができるほか、直角になるように連結すれば、ストラップ、ブレスレットやネックレスだけでなく、図４のように、ポシェットのように立体的なアクセサリー玩具も作ることができる。
【実施例２】
【００１７】
単位パーツ１は図５、図６及び図７のように１対の小パーツ１ａ、１ｂを組み合わせたものであってもよい。つまり、各小パーツ１ａ、１ｂは、方形で、対向する２辺には貫通穴２を設けた筒部３を形成してなる同形、同大もので、各小パーツ１ａ、１ｂの筒部３間の距離Ｌ１は、筒部３が形成されていない対向２辺間の距離Ｌ２よりもわずかに小さくなるように形成されている。そして、一方の小パーツ１ａの筒部３の内側に他方の小パーツ１ｂをきつく嵌め合わせた状態で重ね合わせることにより一体に結合することにより、１個の単位パーツ１が構成される。
【００１８】
なお、上記１対の小パーツ１ａ、１ｂの一方又は両方を透明とし、その間に適宜の模様を表示した模様表示片７を挟む構成にしてもよい。
【００１９】
この場合、小パーツ１ａ、１ｂの中央部が膨らむように形成すれば、レンズ効果が得られ、特に小パーツ１ａ、１ｂ間に模様表示片７を挟む構成を採用するときは、模様部分が拡大されるので、外部からは実際より大きく見え、拡大による意匠効果も向上する。
【００２０】
上述のように、単位パーツ１を１対の小パーツ１ａ、１ｂから構成する場合も、図１の場合と同様に、複数の単位パーツ１を連結材を介して連結することにより、ブレスレット、ネックレス、ポシェットなどのように立体的なものも作ることができる。
【図面の簡単な説明】
【００２１】
【図１】アクセサリー玩具の正面図である。（実施例１）
【図２】単位パーツの斜視図である。
【図３】単位パーツの断面図である。
【図４】アクセサリー玩具の他の例の斜視図である。
【図５】単位パーツの他の例の斜視図である。（実施例２）
【図６】上記単位パーツの分解斜視図である。
【図７】小パーツを重ね合わせた状態を示す断面図である。
【符号の説明】
【００２２】
１    単位パーツ
１ａ、１ｂ  小パーツ
３    筒部
【図１】
2005198780.tif 000003
【図２】
2005198780.tif 000004
【図３】
2005198780.tif 000005
【図４】
2005198780.tif 000006
【図５】
2005198780.tif 000007
【図６】
2005198780.tif 000008
【図７】
2005198780.tif 000009